(57)【要約】【課題】管理区域（ゾーン）の編集にともなってアイコンが表示されなくなる不具合を防止しつつ、設備機器管理装置の使用者が管理区域の編集を行える設備機器管理装置を提供する。【解決手段】制御装置本体２ａは、ゾーンＩＤやゾーンメンバーの編集のうち、レイアウト画像の表示に関連する編集を禁止する一方、レイアウト画像の表示に関連しない編集を許可する。それにより、ウエブサーバ１６から管理用ＰＣ３に送信されるレイアウト画像について、ゾーンＩＤやゾーンメンバーの編集にともなってアイコンが管理用ＰＣ３の表示部３１に表示されなくなる操作は禁止される。一方、レイアウト画像の表示に関連しないゾーンＩＤやゾーンメンバーの編集が許可され、設備機器管理装置１の使用者が管理上のゾーンの編集を行うことができる。【選択図】図４
2010020651.tif 000002
【特許請求の範囲】
【請求項１】
設備機器を構成する複数の構成機器を管理することにより前記設備機器の運転を管理する設備機器管理装置（１）であって、
複数の前記構成機器に接続され、複数の前記構成機器の制御を行う管理部（２ａ）と、
前記管理部から取得する前記構成機器に関する区域識別情報及び、記憶しているレイアウト画像に関する画面表示情報を用いて、前記構成機器に関する情報処理を行う情報処理部（１６）と、
前記情報処理部から提供される情報処理に従って、複数の前記構成機器に対応する複数の第１画像と前記構成機器の配置場所の状況を表す第２画像とを含む前記レイアウト画像の表示を行う表示装置（３）とを備え、
前記管理部は、前記区域識別情報の編集のうち、前記レイアウト画像の前記第１画像の表示に関連する第１編集を禁止する一方、前記第１編集以外の第２編集を許可する、設備機器管理装置。
【請求項２】
前記情報処理部は、前記区域識別情報の前記第２編集に係る情報をリストで前記表示装置に表示させる、請求項１に記載の設備機器管理装置。
【請求項３】
前記管理部は、前記構成機器を管理点として管理し、
前記情報処理部は、前記管理部から前記区域識別情報で特定される区域に属する前記管理点に関する管理点識別情報を取得し、
前記管理部は、前記区域識別情報で特定される前記区域に所属する前記管理点の前記管理点情報の編集のうち、前記レイアウト画像の表示に関連する第３編集を禁止する一方、前記第３編集以外の第４編集を許可する、請求項１または請求項２に記載の設備機器管理装置。
【請求項４】
前記情報処理部は、前記区域識別情報で特定される前記区域に属する前記管理点の前記管理点情報の前記第４編集に係る情報をリストで前記表示装置に表示させる、請求項３に記載の設備機器管理装置。
【請求項５】
前記第１編集及び前記第２編集は、前記区域識別情報の削除、変更及び追加を含み、
前記第３編集及び前記第４編集は、前記管理点識別情報の削除、変更及び追加を含む、請求項３または請求項４に記載の設備機器管理装置。
【請求項６】
前記情報処理部は、ウエブサーバ（１６）であって、
前記画面表示情報は、前記ウエブサーバにおいて利用できるように変換して記憶されたものである、請求項１から５のいずれかに記載の設備機器管理装置。
【発明の詳細な説明】
【技術分野】
【０００１】
本発明は、複数の構成機器で構成される設備機器を管理する設備機器管理装置に関し、特に、複数の構成機器の状況を画面表示して管理する設備機器管理装置に関する。
【背景技術】
【０００２】
従来から、所定物件に配置された空気調和機などの設備機器の管理を行う設備機器管理装置が知られている。設備機器管理装置の管理の中には、設備機器を構成している種々の構成機器、例えば空気調和機における室外機や室内機などを管理点として通信網を介して管理を行うものがある。このような管理を行う設備機器管理装置には、構成機器などの管理点の状況の表示を行う表示画面を備えたタイプがある。この管理点の状況表示において、アイコンなどの色や形状の異なるグラフィカル・ユーザ・インタフェース（GUI）により行うと、直感的な操作ができるため操作性が向上する。
【０００３】
特に、画面表示する際に、設備機器のアイコンなどを表示するとともに、ビルのフロアレイアウトなど設備機器が設置されている場所のレイアウトをアイコンなどの背景画像として表示するとさらに操作性が良くなる（例えば、特許文献１参照）。
【特許文献１】特開２００５−３０８２７８号公報
【発明の開示】
【発明が解決しようとする課題】
【０００４】
しかしながら、背景画像上に設備機器のアイコンなどを表示する場合には、背景画像上におけるアイコンの位置特定の必要性などから、管理点や管理点が属する管理上の区域（区域識別情報で特定される区域）を変更すると、画面表示を行うための画面表示情報と設備機器管理装置が認識する管理点識別情報の相違により、画面表示情報の再構築が必要となる場合があった。
【０００５】
例えば室内機を入れ替えるときに室内機の管理点識別情報を変更すると、その室内機が属する管理区域に関する画面表示情報と実際の設備機器の区域識別情報との対応関係に齟齬が生じ、画面に表示すべき室内機のアイコンが表示されなくなることがある。
【０００６】
本発明の課題は、区域識別情報の編集にともなってアイコンが表示されなくなる不具合を防止しつつ、設備機器管理装置の使用者が区域識別情報の編集を行える設備機器管理装置を提供することにある。
【課題を解決するための手段】
【０００７】
第１発明に係る設備機器管理装置は、設備機器を構成する複数の構成機器を管理することにより設備機器の運転を管理する。設備機器管理装置は、複数の構成機器に接続されている管理部と、情報処理部と、表示装置とを備えている。管理部は、複数の構成機器の制御を行う。情報処理部は、管理部から取得する構成機器に関する区域識別情報及び、記憶しているレイアウト画像に関する画面表示情報を用いて、構成機器に関する情報処理を行う。表示装置は、情報処理部から提供される情報処理に従って、複数の構成機器に対応する複数の第１画像と構成機器の配置場所の状況を表す第２画像とを含むレイアウト画像の表示を行う。管理部は、区域識別情報の編集のうち、レイアウト画像の第１画像の表示に関連する第１編集を禁止する一方、第１編集以外の第２編集を許可する。
【０００８】
本発明によれば、管理部が、区域識別情報の編集のうち、レイアウト画像の表示に関連する第１編集を禁止するので、レイアウト画像については、区域識別情報の編集にともなって第２画像の上に重ねて第１画像が表示されなくなる操作は禁止される。一方、レイアウト画像の第１画像の表示に関連しない区域識別情報の第２編集を許可することにより、設備機器管理装置の使用者が管理上の区域の編集を行うことができる。
【０００９】
第２発明に係る設備機器管理装置は、第１発明の設備機器管理装置であって、情報処理部が、区域識別情報の第２編集に係る情報をリストで表示装置に表示させる。
【００１０】
本発明によれば、区域識別情報の第２編集に係る情報をリストで表示させるので、レイアウト画像の第１画像の表示に関連しない区域識別情報に係る情報の確認が容易になる。
【００１１】
第３発明に係る設備機器管理装置は、第１発明または第２発明の設備機器管理装置であって、管理部が、構成機器を管理点として管理し、情報処理部が、管理部から区域識別情報で特定される区域に属する管理点に関する管理点識別情報を取得する。そして、管理部は、区域識別情報で特定される区域に所属する管理点の管理点識別情報の編集のうち、レイアウト画像の第１画像の表示に関連する第３編集を禁止する一方、第３編集以外の第４編集を許可する。
【００１２】
本発明によれば、管理部が、区域識別情報で特定される区域に所属する管理点の管理点識別情報の編集のうち、レイアウト画像の第１画像の表示に関連する第３編集を禁止するので、レイアウト画像については、区域に所属する管理点の管理点識別情報の編集にともなって第１画像が表示されなくなる操作は禁止される。一方、レイアウト画像の第１画像の表示に関連しない区域識別情報に属する管理点の管理点識別情報に関する第４編集を許可することにより、設備機器管理装置の使用者が管理点の設定を行うことができる。
【００１３】
第４発明に係る設備機器管理装置は、第３発明の設備機器管理装置であって、情報処理部が、レイアウト画像の第１画像の表示に関連しない区域識別情報で特定される区域に属する管理点の管理点識別情報の第４編集に係る情報をリストで表示装置に表示させる。
【００１４】
本発明によれば、レイアウト画像の第１画像の表示に関連しない区域に属する管理点の第４編集に係る情報をリストで表示させるので、レイアウト画像の第１画像の表示に関連しない区域に属する管理点に係る情報の確認が容易になる。
【００１５】
第５発明に係る設備機器管理装置は、第３発明または第４発明の設備機器管理装置であって、第１編集及び第２編集が、区域識別情報の削除、変更及び追加を含み、第３編集及び第４編集は、管理点識別情報の削除、変更及び追加を含む。
【００１６】
本発明によれば、区域識別情報及び管理点識別情報の削除、変更及び追加ができる一方、第１画像が表示されなくなる不具合を防止することができる。
【００１７】
第６発明に係る設備機器管理装置は、第１発明から第５発明のいずれかの設備機器管理装置であって、情報処理部がウエブサーバである。そして、画面表示情報は、ウエブサーバにおいて利用できるように変換して記憶されたものである。
【００１８】
本発明によれば、画面表示情報がウエブサーバで利用可能に記憶されているため、ウエブ機能を使って表示装置以外に、通信回線に接続された機器、例えばパーソナルコンピュータなどの画面に表示でき、アクセスできる地域が広がる。
【発明の効果】
【００１９】
第１発明に係る設備機器管理装置では、管理部が、区域識別情報の編集のうち、レイアウト画像の第１画像の表示に関連する第１編集を禁止する一方、第１編集以外の第２編集を許可するので、区域の編集にともなって第１画像が表示されなくなる不具合を防止しつつ、設備機器管理装置の使用者が管理上の区域の編集を行うことができるようになる。
【００２０】
第２発明に係る設備機器管理装置では、区域識別情報の第２編集に係る情報をリストで表示装置に表示させるので、レイアウト画像の表示に関連しない区域識別情報に係る情報の確認が容易になり、利便性が向上する。
【００２１】
第３発明に係る設備機器管理装置では、管理部が、区域識別情報で特定される区域に所属する管理点の編集のうち、レイアウト画像の第１画像の表示に関連する第３編集を禁止する一方、第３編集以外の第４編集を許可するので、管理点識別情報の編集にともなって第１画像が表示されなくなる不具合を防止しつつ、設備機器管理装置の使用者が管理点の編集を行うことができるようになる。それにより設備機器管理装置の機能が豊富になる。
【００２２】
第４発明に係る設備機器管理装置では、第４編集に係る情報をリストで表示させるので、レイアウト画像の表示に関連しない区域に属する管理点に係る情報の確認が容易になり、利便性が向上する。
【００２３】
第５発明に係る設備機器管理装置では、区域識別情報及び管理点識別情報の削除、変更及び追加ができるので、利便性が向上する。
【００２４】
第６発明に係る設備機器管理装置では、画面表示情報は、ウエブサーバにおいて利用できるように変換して記憶されたものであるので、ウエブ機能を使って通信回線に接続された機器に表示ができるためアクセスできる地域が広がり管理が行いやすくなる。
【発明を実施するための最良の形態】
【００２５】
＜全体構成＞
本発明の一実施形態に係る設備機器管理装置と構成機器の接続の概要を図１に示す。設備機器管理装置１は、空調コントローラ２と管理用パーソナルコンピュータ３とハブ４とを備える。以下の説明において、「管理用パーソナルコンピュータ」を「管理用ＰＣ」と略して記載する。設備機器管理装置１では、ハブ４を介してイーサネット（登録商標）などのローカルエリアネットワーク（以下ＬＡＮという）により管理用ＰＣ３が空調コントローラ２に接続されている。図１には、設備機器管理装置１が管理している構成機器のうち、空気調和機の複数の室内機２１ａ，…２１ｄ…，２２ａ，…２２ｄ、全熱交換機能付き換気装置２１ｅ，２２ｅ、室内機２２ｇ及び電力計２３を示している。複数の室内機２１ａ…２１ｄ…及び全熱交換機能付き換気装置２１ｅは信号線７ａで設備機器管理装置１の空調コントローラ２に接続され、複数の室内機２２ａ…２２ｄ、全熱交換機能付き換気装置２２ｅ及び室内機２２ｇは信号線７ｂで設備機器管理装置１の空調コントローラ２に接続されている。なお、室内機２２ｇは、通信線７ｂに直接接続するための機能を有しないことから、ユニット２２ｆを介して通信線７ｂに接続されている。
【００２６】
空調コントローラ２は表示画面５を備えており、管理用ＰＣ３は表示画面６を備えている。管理用ＰＣ３は、複数の機能の中に、表示画面６への表示機能の一つとしてレイアウト表示機能を有している。このレイアウト表示機能を使って、例えば、配置されている建物のフロアレイアウトに重ねて、複数の室内機２１ａ，…２１ｄ…，２２ａ，…２２ｄ、全熱交換機能付き換気装置２１ｅ，２２ｅ、室内機２２ｇ及び電力計２３のアイコンなどを表示することができる。
【００２７】
＜レイアウト画面＞
図２と図３に管理用ＰＣ３のレイアウト表示画面の表示例を示す。なお、図２及び図３には、説明を行い易くするためにフロアの方位を示す記号５１，６１を書き込んでいるが、これは実際の表示画面上には表示されていないものである。
【００２８】
例えば、図２には中央館の２階の表示画面５０が、図３には北館の表示画面６０が示されている。表示画面５０には、中央館の２階フロアの平面図ＣＦ２に重ねて、２階フロアに配置された９台の室内機のアイコンＩＣ１〜ＩＣ９が表示されている。例えば、図１に示した室内機２２ａがアイコンＩＣ１で示した室内機に対応し、室内機２２ｄがアイコンＩＣ４の室内機に対応するなどの関係がある。また、図２に示す中央館の２階の表示画面５０には、全熱交換機能付き換気装置２２ｅや室内機２２ｇに対応する画像が存在しない。構成機器の画像を全て表示する必要はなく、管理に必要十分な画像を表示すればよく、ここでは換気装置２２ｅや室内機２２ｇなどの表示を行わない例を示している。
【００２９】
中央館の２階の表示画面を表示画面５０のように映し出すには、フロアの平面図ＣＦ２の画像データとともに表示位置を特定することが必要になる。つまり、平面図ＣＦ２の西側の壁を、画像の表示される画像表示エリアの左端から距離Ｘ１のところに位置させ、平面図ＣＦ２の南側の壁を、画像表示エリアの下端から距離Ｙ１のところに位置させるなどの設定である。これを画像表示エリアのＸ座標・Ｙ座標で表現すれば（Ｘ１，Ｙ１）となる。その上で、アイコンＩＣ１〜ＩＣ９を同様の基準で配置する。例えば、アイコンＩＣ１は、画像表示エリアの左端から距離Ｘ２、下端から距離Ｙ２のところに位置させる。つまり、Ｘ座標・Ｙ座標（Ｘ２，Ｙ２）の情報を与える。
【００３０】
このように、平面図ＣＦ２とアイコンＩＣ１〜ＩＣ９の位置関係が特定されれば、中央館の２階フロアのレイアウトに重ねて室内機のアイコンを表示させることはできる。しかし、中央館の２階の表示画面５０のアイコンＩＣ１〜ＩＣ９によって室内機２２ａ…２２ｄ…の監視・操作を行うためには、アイコンＩＣ１〜ＩＣ９と管理点識別情報（以下管理点ＩＤという）とを関連付ける必要がある。この管理点ＩＤは個別の管理点（室内機２２ａ…２２ｄ…）に割り振られる識別番号であるが、管理上の問題から機器を入れ替えた場合には前につけたものと同じ管理点ＩＤを用いることが禁止されている。ここで仮に管理点ＩＤとして、室内機２２ａに「00１」を割り当てるとすると、空調コントローラ２は、室内機２２ａについては「運転中」で設定温度「２４℃」などという室内機２２ａの状況に関する情報に管理点ＩＤ「001」を付加して管理用ＰＣ３に送信する。逆に、アイコンＩＣ１をクリックして制御情報を管理用ＰＣ３から入力すれば、管理用ＰＣ３から空調コントローラ２に管理点ＩＤ「001」の室内機、つまり室内機２２ａを特定して制御情報を送信することができる。それにより、管理用ＰＣによる室内機２２ａの制御が可能になる。
【００３１】
次にゾーン管理について説明する。図２に示す中央館以外に、図３に示す北館にも室内機２１ａ…２１ｄ…が設置されているとする。先に説明したように、室内機２１ａ…２１ｄ…にも管理点ＩＤが割り当てられ、空調コントローラ２から管理用ＰＣ３に送信される室内機２１ａ…２１ｄ…の情報が識別されている。加えて、ゾーン（区域）ごとの管理を行うため、ゾーン識別情報（以下ゾーンＩＤという）が割り当てられる。ゾーンＩＤには任意の管理点を割り振ることができ、ゾーンＩＤを割り当てるのは、任意の構成機器を複数まとめて監視し操作するためであり、同じゾーンに属する構成機器が異なる設備機器に属していてもかまわない。
【００３２】
例えば、図３の構成において、２階フロアのアイコンＮ２５Ｗ，Ｎ２５Ｅ，Ｎ２４Ｗ，Ｎ２４Ｅ、Ｎ２３Ｗ，Ｎ２３Ｅで示された室内機を、一つのゾーンに割り当てて同じゾーンＩＤを与えれば、２階フロアの室内機を一括して管理することができる。また、２階フロアの室内機のみをレイアウト表示することもできる。あるいは、北館の西端の部屋だけをまとめて監視するために、１階フロアのアイコンＮ１５Ｗ，Ｎ１５Ｅで表示された室内機と、２階フロアのアイコンＮ２５Ｗ，Ｎ２５Ｅの室内機と、３階フロアのアイコンＮ３５Ｗ，Ｎ３５Ｅの室内機に一つのゾーンＩＤを割り付当てることもできる。あるいは、図２の中央館の室内機と図３の北館の室内機を同一ゾーンに割り当てることもできる。
【００３３】
以上説明したように、平面図の描写やアイコンの形態やアイコン位置などの画像情報に加え、画像情報と関連のある管理点ＩＤやゾーンＩＤなどの関連付けが必要になるが、このような関連付けは、レイアウト画面エンジニアリングによって行われる。なお、その他に、平面図名称などレイアウト画面のエンジニアリングに必要な情報を設備機器管理装置１にインポートする必要があるが、本実施形態においては、先に説明した管理点ＩＤやゾーンＩＤやアイコン位置に関する情報以外は重要でないため説明を省略する。
【００３４】
＜設備機器管理装置の構成＞
（１）空調コントローラ
図４は、図１の設備機器管理装置１の構成を示すブロック図である。図４に示すように、空調コントローラ２は、表示部１１、制御部１２、操作部１３、記憶部１４、構成機器用通信部１５及びウエブサーバ１６を備えている。また、ウエブサーバ１６は記憶装置１７を備えている。ウエブサーバ１６を除く、表示部１１、制御部１２、操作部１３、記憶部１４及び構成機器用通信部１５は、制御装置本体２ａを構成する。
【００３５】
図１の表示画面５は、表示部１１の一部である。表示部１１（表示画面５）に表示する画像情報は、制御部１２から表示部１１に出力される。制御部１１は、要求あるいは設定に基づき、表示部１１に対して制御情報や状態情報を出力する。制御情報は構成機器の制御に必要な情報であって、制御情報には、例えば、運転指令や停止指令などの各種指令に加え、構成機器の種々の設定値が含まれる。また、状態情報は構成機器のおかれている環境や構成機器の状態に関する情報であって、状態情報には、例えば、構成機器のセンサーなどで測定される室温や構成機器の異常を知らせる信号が含まれる。例えば、図２のアイコンＩＣ２には、室内機に異常が発生しているなどの異常を知らせる表示がなされている。また、図２のアイコンＩＣ９には通信異常を知らせる表示がなされている。
【００３６】
表示画面５は、透明タッチパネルになっており、操作部１３としても機能する。操作部１３としての表示画面５から制御部１２に対して、タッチパネルで入力された情報が出力される。先に説明した管理点ＩＤやゾーンＩＤは操作部１３から入力することが可能になっている。ただし、管理点ＩＤやゾーンＩＤの編集は、所定の条件の範囲内で行うことが要求されるが、詳しくは後述する。記憶部１４は、制御部１２からの指令に応じて、入力された情報を記憶し、記憶している情報を制御部１２からの要求に応じて出力する。例えば、記憶部１４は、管理点ＩＤやゾーンＩＤに関する情報を記憶している。記憶部１４が記憶している管理点ＩＤ・ゾーンＩＤの情報の中には、編集が禁止されている管理点ＩＤやゾーンＩＤのテーブルが含まれる。また、記憶部１４は、制御情報や状態情報の記憶にも用いられる。構成機器用通信部１５は、構成機器である室内機２１ａや全熱交換機能付き換気装置２１ｅなどから信号線７ａを介して室温や運転状況などの状態情報を入力する。その状態情報は構成機器用通信部１５から制御部１２に対して出力される。一方、制御部１２から構成機器用通信部１５に出力された制御情報は、構成機器用通信部１５から、構成機器である室内機２１ａや全熱交換機能付き換気装置２１ｅなどに対して出力される。このように、室内機２１ａや全熱交換機能付き換気装置２１ｅなどの構成機器と設備機器管理装置１とは、信号線７ａ，７ｂ…などによって通信網７を形成している。また、構成機器用通信部１５のポートには、電力計２３などを直接接続することができる。このように構成機器用通信部１５のポートに接続される構成機器に対しても、管理点ＩＤやゾーンＩＤを割り当てることが可能である。
【００３７】
ウエブサーバ１６は、エンジニアリングされて定まっている画像情報を含むウエブアプレットを保有している。一方、ウエブサーバ１６は、管理点ＩＤやゾーンＩＤに関する情報を制御部１２から読み込む。それにより、制御情報や状態情報と画像情報との関連付けを行う。ウエブサーバ１６は、例えば図２に示す平面図ＣＦ２やアイコンＩＣ１〜ＩＣ９などの画像情報を用いて表示を行うため画像情報とともに制御情報や状態情報を、ハブ４を介して管理用ＰＣ３に出力する。
【００３８】
（２）管理用ＰＣ
図４に示すように、管理用ＰＣ３は表示部３１とウエブブラウザ３２とを備えている。図１に示した表示画面６は表示部３１の一部である。ウエブブラウザ３２は、ウエブサーバ１６から送信されたウエブページを閲覧するためのアプリケーションソフトである。ウエブブラウザ３２は、ハブ４を介してウエブサーバ１６の画像情報などをダウンロードし、レイアウトを解析して表示部３１により表示画面６に表示・再生する。それにより、図２に示したような表示画像をレイアウト画面表示として表示することが可能になる。逆に、ウエブブラウザ３２を用いてデータをウエブサーバ１６に送信することも可能である。なお、ここでは、管理用ＰＣ３への画面の表示について説明したが、ウエブ機能を用いることにより、管理用ＰＣ３以外の機器への表示もウエブブラウザを設けるだけでＬＡＮを介して簡単に行える。
【００３９】
また、管理用ＰＣ３は、レイアウト画面表示機能だけでなく、リスト表示機能を有している。リスト表示機能とは、管理点を特定する情報とともに管理点の状況や管理点に対する制御を一覧表の形式で表示する機能である。
【００４０】
＜ゾーンＩＤ・管理点ＩＤなどの編集＞
次に、管理点ＩＤやゾーンＩＤやゾーンメンバーの編集について説明する。管理点ＩＤやゾーンＩＤやゾーンメンバーの編集には、追加、変更、及び削除の３つの態様が考えられる。なお、以下の説明でゾーンメンバーというときは、あるゾーンに属する構成機器（管理点）をいう。ゾーンメンバーの変更とはゾーン属する各構成機器の変更であり、ゾーンメンバーの追加とはゾーンに属する構成機器を増やすことであり、ゾーンメンバーの削除とはゾーンに属する構成機器を減らすことである。
【００４１】
（１）管理点ＩＤやゾーンＩＤの追加
構成機器を追加する場合、例えば、図３に示す北２Ｆ−２や北２Ｆ−１の部屋に新たに室内機を設置する場合に、これらのアイコンをレイアウト画面に表示させるためには、レイアウト画面エンジニアリングを行って画像情報や管理点ＩＤ・ゾーンＩＤと画像情報との関連付けが必要になる。そのため、設備機器管理装置１の使用者は、レイアウト画面表示の追加をともなう管理点ＩＤやゾーンＩＤやゾーンメンバーの追加を行う編集を禁止されている。つまり、使用者が使う空調コントローラ２に、レイアウト画面に新たにアイコンを追加する機能を設けない構成としている。
【００４２】
構成機器の追加として、例えば、１階と２階の部屋北２Ｆ-１，北１Ｆ-１の室内機の管理を新たに追加する場合を考える。構成機器の追加であってもこの場合、部屋北２Ｆ-１，北１Ｆ-１については、コンピュータルームとして使用するため常に一定の温度管理が必要で常時運転していることから、レイアウト画面上に表示する必要がないものとすると、レイアウト画面エンジニアリングを行う必要はない。このようにレイアウト画面エンジニアリングが必要ない場合、使用者は、制御装置本体２ａの操作部１３を用いて、部屋北２Ｆ-１，北１Ｆ-１の室内機に関するゾーンＩＤや管理点ＩＤを入力することができる。新たに管理点として登録する場合には管理点ＩＤの入力が必要になる。一方、既に管理点として登録されているときに、１階と２階を一つのゾーンとして管理する場合には新たなゾーンＩＤの入力とゾーンＩＤの割り当てを行う。入力された管理点ＩＤやゾーンＩＤやゾーンメンバーに関する情報は、記憶部１４に記憶される。そして、制御装置本体２ａで管理を始めると、構成機器用通信部１５を介して、例えば部屋北２Ｆ-１，北１Ｆ-１の室内機が正常に運転しているなど新たに追加した室内機の状態情報が制御部１２に入力される。制御部１２では、室内機が正常運転しているという情報を記憶部１４の管理点ＩＤやゾーンＩＤとともにウエブサーバ１６に送る。室内機に関する情報がウエブサーバ１６から管理用ＰＣ３に出力され、管理用ＰＣ３では室内機の管理点ＩＤやゾーンＩＤとともに室内機が正常運転しているなどの情報をリスト表示として一覧表示することができる。
【００４３】
上述の説明では、ゾーンＩＤの追加や割り当てにおいて、レイアウト画面に用いられている管理点ＩＤやゾーンＩＤと重複しない場合について説明したが、リスト表示だけを行うための管理点ＩＤやゾーンＩＤの追加においては、レイアウト画面に用いられている管理点ＩＤやゾーンＩＤと重複することが許可される。つまり、使用者が空調コントローラ２を用いてリスト表示のための編集であるという選択を行えば、その際の管理点ＩＤやゾーンＩＤやゾーンメンバーの追加の入力においては、レイアウト画面に関連する管理点ＩＤやゾーンＩＤが記述された記憶部１４のテーブルは無視される。例えば、西側の端の部屋北３Ｆ−５、北２Ｆ-５，北１Ｆ-５を監視するため、新たにゾーンを設ける場合、アイコンＮ３５Ｗ，Ｎ３５Ｅ，Ｎ２５Ｗ，Ｎ２５Ｅ，Ｎ１５Ｗ，Ｎ１５Ｅで示された室内機に新たな一つのゾーンＩＤを割り当てることができる。この場合、新たに設けられたゾーンＩＤで西側の端の部屋北３Ｆ−５、北２Ｆ-５，北１Ｆ-５のレイアウト画面表示を行うことはできないが、リストによって、こられ室内機の一覧表示を行って状況を監視することができる。新たなゾーンＩＤは、リスト表示にのみ用いることの情報とともに、記憶部１４に記憶される。
【００４４】
（２）管理点ＩＤやゾーンＩＤの変更
設備機器を変更する場合、例えば、図２のアイコンＩＣ１で示された室内機２２ａを取り替える場合には、レイアウト画面エンジニアリングが必要になる。このように設備機器を取り替える場合、設備機器管理装置１の使用者が勝手に空調コントローラ２から室内機２２ａの管理点ＩＤ・ゾーンＩＤの変更をすることができない構成になっている。そのために、記憶部１４は、レイアウト画面で使用されている管理点ＩＤやゾーンＩＤのテーブルを記憶している。設備機器管理装置１の使用者が、操作部１３を操作して管理点ＩＤ・ゾーンＩＤの編集用画面を表示させても、テーブルに記憶されている管理点ＩＤやゾーンＩＤやゾーンメンバーは色を変えて例えばグレーアウトすることによって使用者が変更できないことを通知する。
【００４５】
ただし、レイアウト画面エンジニアリングの必要のない設備機器に関する管理点ＩＤやゾーンＩＤやゾーンメンバーの変更は許可する。そのために、制御装置本体２ａの制御部１２は、変更が禁止されている管理点ＩＤやゾーンＩＤなどの記述されたテーブルを、記憶部１４から参照する。例えば、図１に示す全熱交換機能付き換気装置２１ｅ，２２ｅがレイアウト画面に表示されておらずテーブルへの記述がないことから、操作部１３を用いて行われた換気装置２１ｅ，２２ｅの管理点ＩＤ・ゾーンＩＤの変更を制御部１２は受け付ける。設備機器管理装置１の使用者は、換気装置２１ｅを取り替えた場合、換気装置２１ｅの新たな管理点ＩＤを空調コントローラ２の操作部１３から入力する。制御部１２はこの新たな管理点ＩＤを記憶部１４に記憶させる。また、全ての換気装置２１ｅ，２２ｅ…を一つのゾーンＩＤに割り付けて管理していた場合には、このゾーンＩＤのメンバーの変更も操作部１３によって行うことができる。このようにして、変更された管理点ＩＤやゾーンＩＤによって、換気装置２１ｅから構成機器用通知深部１５に送信されてきた状態情報などを制御部１２が新たな管理点ＩＤやゾーンＩＤとともにウエブサーバ１６に送り、管理用ＰＣ３にリスト表示などを行わせることができる。
【００４６】
（３）管理点ＩＤやゾーンＩＤの削除
管理点ＩＤやゾーンＩＤなどを削除する場合であってそれらがレイアウト画面表示に関連する管理点ＩＤやゾーンＩＤなどの場合、例えば、図２のアイコンＩＣ１〜ＩＣ９で示された室内機を削除する場合には、レイアウト画面エンジニアリングが必要になる可能性があるため、管理点ＩＤやゾーンＩＤやゾーンメンバーの削除は原則禁止される。この場合は変更を禁止するときと同様に行われる。
【００４７】
ただし、削除してもレイアウト画面エンジニアリングが必要でないときには、管理点ＩＤやゾーンＩＤやゾーンメンバーの編集を許可するように構成してもよい。例えば、管理点ＩＤやゾーンＩＤを削除すれば、当該管理点ＩＤやゾーンＩＤに関連したアイコンがレイアウト画面から消えるが、室内機のアイコンの画面表示が消えることは事実と合致するので問題を生じない場合がある。このような場合には、まず、記憶部１４に記憶されているテーブルで管理点ＩＤやゾーンＩＤの削除が禁止されているものに該当すると制御部１２で判断し、色を変えて例えばグレーアウトすることによって使用者が変更できないことを通知する。設備機器管理装置１の使用者が、削除してもかまわないと判断した場合のために、編集を可能にするための解除ボタンを設けておく。使用者が解除ボタンで、管理点ＩＤやゾーンＩＤの削除を行ったときは、その情報が操作部１３から制御部１２に伝えられ、記憶部１４に記憶される。例えば、中央館の２階東側の踊り場にあるアイコンＩＣ１で示された室内機を取り外した場合、この室内機の管理点ＩＤとゾーンＩＤの割り当てを削除すれば、アイコンＩＣ１は中央館の２階のレイアウト画面には表示されなくなる。
【００４８】
管理点ＩＤやゾーンＩＤなどの削除であっても、レイアウト画面表示されていない管理点の場合には削除の操作が許可される。例えば、既に管理点ＩＤなどの追加で説明した１階と２階の部屋北２Ｆ-１，北１Ｆ-１の室内機の管理を新たに追加していた場合に、レイアウト画面上に表示されないこれらの構成機器の管理点ＩＤやゾーンＩＤやゾーンメンバーの削除は許可される。この場合、使用者は、制御装置本体２ａの操作部１３を用いて、部屋北２Ｆ-１，北１Ｆ-１の室内機に関するゾーンＩＤや管理点ＩＤやゾーンメンバーを削除することができる。まず、ゾーンＩＤや管理点ＩＤやゾーンメンバーを削除しようとする使用者は、操作部１３を用いて、登録されている室内機のゾーンＩＤや管理点ＩＤやゾーンメンバーの削除を制御部１２に入力する。制御部１２では、削除が禁止されているか否かを判断するため、記憶部１４に記憶されているテーブルを参照する。レイアウト表示に関連するためゾーンＩＤや管理点ＩＤやゾーンメンバーの削除が禁止されているものでないことを確認した制御部１２は、表示部１１に室内機の管理点ＩＤやゾーンＩＤやゾーンメンバーに関する情報を表示して使用者が削除することを許可する。例えば、１階と２階を一つのゾーンとして管理していたものを１階だけにする場合には、２階の室内機をゾーンメンバーから削除する。削除のために入力された管理点ＩＤやゾーンＩＤやゾーンメンバーに関する情報は、記憶部１４に記憶される。そして、制御装置本体２ａで管理を始めると、構成機器用通信部１５を介して、削除されずに残った室内機が正常運転しているなど室内機の状態情報が制御部１２に入力される。制御部１２では、削除されずに残った室内機が正常運転しているという情報を記憶部１４の管理点ＩＤやゾーンＩＤとともにウエブサーバ１６に送る。削除されずに残った室内機のみに関する情報がウエブサーバ１６から管理用ＰＣ３に出力され、管理用ＰＣ３では、例えば１階のコンピュータルームの室内機のゾーンを選択すれば、管理点ＩＤやゾーンＩＤとともに１階の部屋北１Ｆ-１の室内機が正常運転しているなどの情報をリスト表示機能により一覧表示する。
【００４９】
なお、いったん削除した設備機器を再度追加することはできない。この場合は追加の編集に相当し既に説明した通りである。
【００５０】
＜特徴＞
（１）
制御装置本体２ａが、記憶部１４のテーブルを参照して、ゾーンＩＤの編集のうち、レイアウト画像の表示に関連する編集（第１編集）を禁止するので、レイアウト画像については、ゾーンＩＤの編集にともなってアイコン（第１画像）が表示されなくなる操作は禁止される。一方、レイアウト画像の表示に関連しないゾーンＩＤの編集（第２編集）を許可することにより、設備機器管理装置１の使用者が管理上のゾーンの編集を行うことができる。それにより、設備機器管理装置１では、ゾーンの編集にともなってフロアレイアウト（第２画像）上に重ねてアイコン（第１画像）が表示されなくなる不具合を防止しつつ、設備機器管理装置１の使用者が管理上のゾーンの編集を行うことができるようになる。
【００５１】
（２）
設備機器管理装置１は、レイアウト画像の表示に関連しないゾーンＩＤの編集に係る情報をウエブサーバ１６がリストで表示させるので、レイアウト画像の表示に関連しないゾーンＩＤに係る情報の確認が容易になり、利便性が向上する。
【００５２】
（３）
制御装置本体２ａが、記憶部１４のテーブルを参照して、ゾーンＩＤで特定されるゾーンに所属する管理点の編集のうち、レイアウト画像の表示に関連する編集（第３編集）を禁止するので、レイアウト画像については、ゾーンに所属する管理点に関する編集にともなってアイコンが表示されなくなる操作は禁止される。一方、レイアウト画像の表示に関連しないゾーンＩＤに属する管理点に関する編集（第４編集）を許可することにより、設備機器管理装置１の使用者が管理点の設定を行うことができる。それにより、管理点に関する編集にともなってアイコンが表示されなくなる不具合を防止しつつ、設備機器管理装置１の使用者が管理点に関する編集を行うことができるようになることから、設備機器管理装置１の機能が豊富になる。
【００５３】
（４）
レイアウト画像の表示に関連しないゾーンに属する管理点の編集に係る情報をウエブサーバ１６がリストで表示させるので、レイアウト画像の表示に関連しないゾーンに属する管理点に係る情報の確認が容易になり、利便性が向上する。
【００５４】
（５）
管理上のゾーン（ゾーンＩＤ）及び管理点（管理点ＩＤ）の削除、変更及び追加ができるので、利便性が向上する。
【００５５】
（６）
画面表示情報がウエブサーバ１６で利用可能に記憶されているため、ウエブ機能を使って管理用ＰＣ３以外に、通信回線に接続された機器、例えばパーソナルコンピュータなどの画面に表示でき、アクセスできる地域が広がり管理が行いやすくなる。
【図面の簡単な説明】
【００５６】
【図１】本発明の一実施形態に係る設備機器管理装置と構成機器の接続の概要を示す図。
【図２】管理用ＰＣの画面表示の一例を示す平面図。
【図３】管理用ＰＣの画面表示の他の例を示す平面図。
【図４】本発明の一実施形態に係る設備機器管理装置の構成を示すブロック図。
【符号の説明】
【００５７】
１  設備機器管理装置
２  空調コントローラ
２ａ  制御装置本体（管理部）
３  管理用パーソナルコンピュータ（表示装置）
１６  ウエブサーバ（情報処理部）
１７  記憶装置
３２  ウエブブラウザ
【図１】
2010020651.tif 000003
【図２】
2010020651.tif 000004
【図３】
2010020651.tif 000005
【図４】
2010020651.tif 000006